(57)【特許請求の範囲】
【請求項１】
複数の異なる波長の光信号を多重して送信する送信局と、
複数の異なる波長の光信号が多重された光信号を各波長の光信号に分波して波長ごとに受信する受信局と、
前記送信局と前記受信局との間の光伝送路に挿入され、入力された光信号を増幅して前記受信局側へ送信する中継局と、を備え、
前記中継局は、
複数の波長を含む第１のダミー光を出力する第１のダミー光源と、
前記第１のダミー光から、前記入力された光信号の波長以外の波長を選択する波長選択スイッチと、
前記波長選択スイッチで選択された波長と前記光伝送路から入力された光信号を合波する合波部と、
前記合波部から出力された光信号を増幅する光増幅部と、
を備えることを特徴とする光伝送システム。
【請求項２】
複数の波長を含む第１のダミー光を出力する第１のダミー光源と、
前記第１のダミー光から、光伝送路から入力された光信号の波長以外の波長を選択する第１の波長選択スイッチと、
前記第１の波長選択スイッチで選択された波長と前記光伝送路から入力された光信号を合波する第１の合波部と、
前記第１の合波部から出力された光信号を増幅する光増幅部と、
を備えることを特徴とする光伝送装置。
【請求項３】
複数の波長を含む第２のダミー光を出力する第２のダミー光源と、
前記光伝送路から入力される光信号の入力断を検出する検出部と、
前記検出部で前記光信号の入力断を検出した場合に、前記第２のダミー光を出力する光シャッター部と、
前記光伝送路から入力された光信号と前記光シャッター部から出力される前記第２のダミー光を合波する第２の合波部と、
前記第２の合波部から出力された光信号から、前記光伝送路から入力される光信号の波長を選択する第２の波長選択スイッチと、を備え、
前記第１の合波部は、前記第１の波長選択スイッチで選択された波長と前記第２の波長選択スイッチで選択された波長と、を合波することを特徴とする請求項２に記載の光伝送装置。
【請求項４】
前記第１のダミー光源は、複数の波長を含む第２のダミー光を出力し、
前記光伝送路から入力される光信号の入力断を検出する検出部と、
前記検出部で前記光信号の入力断を検出した場合に、前記第２のダミー光を出力する光シャッター部と、
前記光伝送路から入力された光信号と前記第２のダミー光を合波して前記第１の合波部側へ出力する第２の合波部と、
前記光シャッター部から出力される前記第２のダミー光を合波する第２の合波部と、
前記第２の合波部から出力された光信号から、前記光伝送路から入力される光信号の波長を選択する第２の波長選択スイッチと、を備え、
前記第１の合波部は、前記第１の波長選択スイッチで選択された波長と前記第２の波長選択スイッチで選択された波長と、を合波することを特徴とする請求項２に記載の光伝送装置。
【請求項５】
光信号を挿入する挿入部を更に有し、
前記第１の波長選択スイッチは、前記出力された第１ダミー光から、前記光伝送路から入力された光信号と前記挿入された光信号以外の波長を選択することを特徴とする請求項２乃至３のいずれかに記載の光伝送装置。
【請求項６】
複数の異なる波長の光信号を多重して送信する送信局と、
複数の異なる波長の光信号が多重された光信号を各波長の光信号に分波して波長ごとに受信する受信局と、
前記送信局と前記受信局との間の光伝送路に挿入され、入力された光信号を増幅して前記受信局側へ送信する中継局と、を備え、
前記中継局は、
複数の波長を含む第１のダミー光を出力する第１のダミー光源と、
前記第１のダミー光から、前記入力された光信号の波長以外の波長を選択し、前記選択された波長と前記光伝送路から入力された光信号とを出力する波長選択スイッチと、
前記波長選択スイッチから出力された光信号を増幅する光増幅部と、
を備えることを特徴とする光伝送システム。
【請求項７】
複数の波長を含む第１のダミー光を出力する第１のダミー光源と、
前記第１のダミー光から、光伝送路から入力された光信号の波長以外の波長を選択し、前記選択された波長と、前記光伝送路から入力された光信号とを出力する波長選択スイッチと、
前記波長選択スイッチから出力された光信号を増幅する光増幅部と、
を備えることを特徴とする光伝送装置。
【請求項８】
複数の波長を含む第２のダミー光を出力する第２のダミー光源と、
前記光伝送路から入力される光信号の入力断を検出する検出部と、
前記検出部で前記光信号の入力断を検出した場合に、前記第２のダミー光を出力する光シャッター部と、
前記光伝送路から入力された光信号と前記光シャッター部から出力される前記第２のダミー光を合波する第２の合波部と、を備え、
前記波長選択スイッチは、前記第２の合波部から出力された光信号から、前記光伝送路から入力される光信号の波長を選択することを特徴とする請求項７に記載の光伝送装置。
【請求項９】
前記第１のダミー光源は、複数の波長を含む第２のダミー光を出力し、
前記光伝送路から入力される光信号の入力断を検出する検出部と、
前記検出部で前記光信号の入力断を検出した場合に、前記第２のダミー光を出力する光シャッター部と、
前記光伝送路から入力された光信号と前記光シャッター部から出力される前記第２のダミー光を合波する第２の合波部と、を備え、
前記波長選択スイッチは、前記第２の合波部から出力された光信号から、前記光伝送路から入力される光信号の波長を選択することを特徴とする請求項７に記載の光伝送装置。
【請求項１０】
光信号を挿入する挿入部を更に有し、
前記波長選択スイッチは、前記出力された第１のダミー光から、前記光伝送路から入力された光信号と前記挿入された光信号以外の波長を選択することを特徴とする請求項７乃至９のいずれかに記載の光伝送装置。
【発明の詳細な説明】
【技術分野】
【０００１】
この発明は、光伝送システム及び光伝送装置に関する。
【背景技術】
【０００２】
光通信分野において、波長分割多重（ＷＤＭ：Ｗａｖｅｌｅｎｇｔｈ  Ｄｉｖｉｓｉｏｎ  Ｍｕｌｔｉｐｌｅｘｉｎｇ）技術がある。波長分割多重システムにおいて、波長選択スイッチ（ＷＳＳ：Ｗａｖｅｌｅｎｇｔｈ  Ｓｅｌｅｃｔａｂｌｅ  Ｓｗｉｔｃｈ）を搭載した光分岐挿入装置（ＯＡＤＭ：Ｏｐｔｉｃａｌ  Ａｄｄ−Ｄｒｏｐ  Ｍｕｌｔｉｐｌｅｘｅｒ）を用いたシステムがある。波長選択スイッチを用いることによって、複数の異なる波長の光信号が多重された光信号に対して、任意の波長の光信号の合波もしくは分波、または各波長の光信号の経路の切り換えを行うことができる。
【０００３】
波長分割多重システムでは、送信局から、複数の異なる波長の光信号が多重された光信号が送信される。送信局から送信された光信号は、光ファイバなどの光伝送路を通り、受信局で各波長の光信号に分波されて波長ごとに受信される。送信局と受信局との間に一つ以上の中継局が設けられることがある。中継局は、入力された光信号を例えば前段光増幅器（プリアンプ）や後段光増幅器（ポストアンプ）で増幅して受信局へ向けて送信する。中継局では、上述した光分岐挿入装置を用いて、複数の異なる波長の光信号が多重された光信号からある波長の光信号を分波したり、複数の異なる波長の光信号が多重された光信号にある波長の光信号を合波したりすることがある。
【０００４】
ところで、光通信システムの運用中に、運用開始時に使用していなかった波長を使用することがある。そのような場合、使用する波長の数が増えたことによってレベルダイヤが変化してしまうことがある。そこで、レベルダイヤの変化を防ぐため、当初使用していない波長についてはダミー光を挿入することが知られている。
【０００５】
ダミー光を挿入する光源として、自然放出光（ＡＳＥ：Ａｍｐｌｉｆｉｅｄ  Ｓｐｏｎｔａｎｅｏｕｓ  Ｅｍｉｓｓｉｏｎ）光源などの広帯域光源から出力される光から、アレイ導波路回折格子（ＡＷＧ：Ａｒｒａｙｅｄ  Ｗａｖｅｇｕｉｄｅ  Ｇｒａｔｉｎｇ）、または光カプラと狭帯域バンドパスフィルタ、または光カプラとサーキュレータとファイバグレーティング、またはサーキュレータと複数のファイバグレーティングとアレイ導波路回折格子からなる構成によって、所定の波長の光を出力するものがある。自然放出光光源については、例えばファイバーラボ株式会社（ＦｉｂｅｒＬａｂｓ  Ｉｎｃ．）社製のＡＳＥ−ＦＬ７０１０他がある（インターネット、２０１０年８月２６日検索、ＵＲＬ＜http://www.fiberlabs.co.jp/lightsource/ase_cband.htm＞）。
【０００６】
また、端局の障害等で多重されている信号のチャネル数が急変する場合の、残りの波長の信号光の過出力を防ぐようにした光増幅器がある。例えば、光信号及びこの光信号に合波されたダミー光からなる光信号の一部を光増幅部で増幅し、この光増幅された光信号及びダミー光からダミー光をフィルタによって除去し、ダミー光制御回路によって、ダミー光光源の光出力が予め決められた光出力になるように制御するようにした光増幅器がある。
【先行技術文献】
【特許文献】
【０００７】
【特許文献１】特開２０００−２８６４９２号公報
【特許文献２】特開２００２−１９８５９９号公報
【発明の概要】
【発明が解決しようとする課題】
【０００８】
しかしながら、従来のシステムでは、光伝送路へはダミー光を送出することができない。そのため、光伝送路の途中で例えば光ファイバが断線するなどの障害が発生し、その障害発生箇所よりも受信局側の中継局では全て同様の制御が必要となり、制御速度が十分でない場合は補償しきれない変動が伝搬し、光増幅器への入力パワーが急激に減少する。その影響で、光増幅器の励起エネルギーが残存する波長、すなわち中継局で挿入された光信号の波長に集中し、その残存する波長の光出力が過渡的に大きくなる。当該中継局と受信局の間にある他の中継局についても同様であり、受信局へ近づくに連れて各中継局での光出力パワーの変動が累積されていく。その結果、受信局では、大きな光強度変化によって信号が瞬断したり、大きな光パワーの入力によって受信機が壊れてしまう虞がある。
【０００９】
また、従来のシステムでは、ダミー光は光増幅器の増幅帯域内である必要があるが、ダミー光の波長が固定されてしまうため、伝送可能な波長帯域が制限されてしまう。また、信号光にフィルタを介さず直接ダミー光を重畳するため、特にダミー光近傍の信号光の伝送品質を劣化させる可能性がある。さらに、ダミー光光源の光出力を所定の光出力になるように制御する専用のダミー光制御回路を設けるため、高価であるという問題点がある。
【００１０】
受信局の受信機の破壊を防ぐことができる光伝送システム及び光伝送装置を提供することを目的とする。安価な光伝送システム及び光伝送装置を提供することを目的とする。
【課題を解決するための手段】
【００１１】
光伝送システムは、複数の異なる波長の光信号を多重して送信する送信局と、複数の異なる波長の光信号が多重された光信号を各波長の光信号に分波して波長ごとに受信する受信局と、前記送信局と前記受信局との間の光伝送路に挿入され、入力された光信号を増幅して前記受信局側へ送信する中継局と、を備え、前記中継局は、複数の波長を含む第１のダミー光を出力する第１のダミー光源と、前記第１のダミー光から、前記入力された光信号の波長以外の波長を選択する波長選択スイッチと、前記波長選択スイッチで選択された波長と前記光伝送路から入力された光信号を合波する合波部と、前記合波部から出力された光信号を増幅する光増幅部と、を備える。
【発明の効果】
【００１２】
この光伝送システム及び光伝送装置によれば、受信局の受信機の破壊を防ぐことができる。安価な光伝送システム及び光伝送装置を提供することができる。
【図面の簡単な説明】
【００１３】
【図１】実施例１にかかる光伝送システムを示すブロック図である。
【図２】実施例１にかかる光伝送装置を示すブロック図である。
【図３】実施例２にかかる光伝送装置を示すブロック図である。
【図４】実施例２にかかる光伝送装置によって伝送される光の波長の一例を示す波形図である。
【図５】実施例２にかかる光伝送装置によって伝送される光の波長の一例を示す波形図である。
【図６】実施例２にかかる光伝送装置によって伝送される光の波長の一例を示す波形図である。
【図７】実施例３にかかる光伝送装置を示すブロック図である。
【図８】実施例４にかかる光伝送装置を示すブロック図である。
【図９】実施例５にかかる光伝送装置を示すブロック図である。
【図１０】実施例６にかかる光伝送装置を示すブロック図である。
【図１１】実施例７にかかる光伝送装置を示すブロック図である。
【図１２】実施例７にかかる光伝送装置によって伝送される光の波長の一例を示す波形図である。
【図１３】実施例７にかかる光伝送装置によって伝送される光の波長の一例を示す波形図である。
【図１４】実施例７にかかる光伝送装置における光シャッターの制御を示すフローチャートである。
【図１５】実施例７にかかる光伝送装置における光シャッターの制御を示すフローチャートである。
【図１６】実施例８にかかる光伝送装置を示すブロック図である。
【図１７】実施例９にかかる光伝送装置を示すブロック図である。
【図１８】実施例１０にかかる光伝送装置を示すブロック図である。
【図１９】実施例１１にかかる光伝送装置を示すブロック図である。
【図２０】実施例１２にかかる光伝送装置を示すブロック図である。
【図２１】実施例１３にかかる光伝送装置を示すブロック図である。
【図２２】実施例１４にかかる光伝送装置を示すブロック図である。
【発明を実施するための形態】
【００１４】
以下に添付図面を参照して、この光伝送システム及び光伝送装置の好適な実施の形態を詳細に説明する。光伝送システム及び光伝送装置は、光伝送路から入力された、複数の異なる波長の光信号が多重された光信号（ＷＤＭ信号）に、空いている波長を含むダミー光を合波してから増幅して出力することで、ＷＤＭ信号の入力断のときに光増幅部への入力パワーが減少するのを抑制するものである。以下の各実施例の説明においては、同様の構成要素には同一の符号を付して、重複する説明を省略する。
【００１５】
（実施例１）
・光伝送システムの説明
図１は、実施例１にかかる光伝送システムを示すブロック図である。図１に示すように、光伝送システムは送信局１、受信局２、及び光伝送装置として例えば一つ以上の中継局３を備えている。送信局１はＷＤＭ信号を送信する。受信局２は、ＷＤＭ信号を各波長の光信号に分波して波長ごとに受信する。中継局３は送信局１と受信局２との間の光伝送路４に挿入される。中継局３は、入力されたＷＤＭ信号を増幅して受信局２側へ送信する。
【００１６】
・光伝送装置（中継局）の説明
図２は、実施例１にかかる光伝送装置を示すブロック図である。図２に示すように、中継局３は、送信部５、第１のダミー光源６、第１の合波部７及び光増幅部８を備えている。送信部５は、中継器３にて挿入される波長の光信号を出力する。第１のダミー光源６は、光伝送路４から入力されるＷＤＭ信号に対して空いている波長を含む第１のダミー光を出力する。第１の合波部７は、第１のダミー光、光伝送路４から入力されたＷＤＭ信号、及び送信部５から出力された光信号を合波する。光増幅部８は、第１の合波部７から出力された光信号を増幅する。
【００１７】
実施例１によれば、光伝送路４から入力されたＷＤＭ信号と、このＷＤＭ信号に対して空いている波長の光を含む第１のダミー光と、が合波されてから光増幅部８で増幅されるので、ＷＤＭ信号の入力断のときに光増幅部８への入力パワーが減少するのを抑制することができる。その結果、光増幅部８の励起エネルギーが、送信部５から出力された光信号の波長に集中するのを抑制することができるので、送信部５から出力された光信号の光出力が過渡的に大きくなるのを防ぐことができる。従って、受信局２における光強度の変化を抑えることができるので、受信局２において信号が瞬断するなどの不具合を防いだり、大きな光パワーの入力によって受信機が壊れてしまうのを防ぐことができる。また、ダミー光源の光出力を制御する専用の回路が不要であるので、安価であるという利点がある。
【００１８】
（実施例２）
図３は、実施例２にかかる光伝送装置を示すブロック図である。図３に示すように、実施例２は、中継局３で挿入される光信号と第１のダミー光とを、波長選択スイッチ１４を用いてＷＤＭ信号に合波するようにしたものである。中継局３は、前段光増幅器（プリアンプ）１１、第１の合波部及び波長選択スイッチ部として波長選択スイッチ１４、第１のダミー光源として広帯域光源１６、送信部として送信機１７及びアレイ導波路回折格子などの合波器１８、並びに光増幅部として後段光増幅器（ポストアンプ）１５を備えている。
【００１９】
前段光増幅器１１は、光ファイバなどの光伝送路４から中継局３に入力されるＷＤＭ信号を増幅する。広帯域光源１６の一例として、例えば上述した自然放出光光源や発光ダイオード（ＬＥＤ：Ｌｉｇｈｔ  Ｅｍｉｔｔｉｎｇ  Ｄｉｏｄｅ）光源などが挙げられる。広帯域光源１６は、本光伝送システムにおいて多重され得る全ての波長の帯域を含む第１のダミー光を出力する。送信機１７は、中継局３にて挿入される波長の光信号を出力する。合波器１８は、送信機１７から出力された光信号を波長選択スイッチ１４の入力ポートの一つに合波する。
【００２０】
波長選択スイッチ１４は、前段光増幅器１１から出力されて波長選択スイッチ１４に入力されるＷＤＭ信号に多重されている波長を選択し、選択した波長の光信号を後段光増幅器１５へ出力する。波長選択スイッチ１４は、送信機１７から出力されて合波器１８により合波された光信号の波長を選択し、選択した波長の光信号を後段光増幅器１５へ出力する。波長選択スイッチ１４は、広帯域光源１６から出力された第１のダミー光のうちの信号が割り当てられていない波長（空いている波長）を選択し、選択した波長の光を後段光増幅器１５へ出力する。後段光増幅器１５は、波長選択スイッチ１４から出力されたＷＤＭ信号を増幅する。
【００２１】
また、中継局３では、前段光増幅器１１から出力されたＷＤＭ信号は、例えば前段光増幅器１１と波長選択スイッチ１４との間に挿入された分波器（ＢＳ：Ｂｅａｍ  Ｓｐｌｉｔｔｅｒ）１２によって分岐される。分波器１２で分岐された光信号は、アレイ導波路回折格子などの分波器１３で波長ごとに分波され、図示しない受信器に入力される。
【００２２】
図４は、実施例２にかかる光伝送装置に入力される光の波長の一例を示す波形図である。図５は、実施例２にかかる光伝送装置の後段光増幅器に入力される光の波長の一例を示す波形図であり、光伝送装置へのＷＤＭ信号の入力が正常である場合の波形図である。図６は、実施例２にかかる光伝送装置の後段光増幅器に入力される光の波長の一例を示す波形図であり、光伝送装置へのＷＤＭ信号の入力が遮断された場合の波形図である。ここでは、一例として、光伝送システムにおいて多重可能な波長をλ１〜λ８８の８８波とし、中継局３に入力されるＷＤＭ信号の波長をλ１〜λ２１の２１波とし、送信機１７から出力される光の波長をλ２２として説明する。
【００２３】
図４に示すように、中継局３へのＷＤＭ信号の入力が正常である場合、前段光増幅器１１にはλ１〜λ２１の２１波を多重した光信号が入力される。図５に示すように、中継局３へのＷＤＭ信号の入力が正常である場合、後段光増幅器１５にはλ１〜λ２１の２１波と、λ２２と、ダミー光の波長としてλ２３〜λ８８の一部または全部が入力される。後段光増幅器１５は、入力された光信号を増幅して出力する。図６に示すように、前段光増幅器１１の手前での光ファイバの断線などの原因で、中継局３へのＷＤＭ信号の入力が遮断された場合、後段光増幅器１５にはλ２２と、λ２３〜λ８８の一部または全部が入力される。
【００２４】
実施例２によれば、実施例１と同様の効果が得られる。例えば、図４〜図６に示す例においてダミー光の波長としてλ２３〜λ８８の６６波が後段光増幅器１５に入力されるとする。中継局３へのＷＤＭ信号（λ１〜λ２１）の入力が正常であると、後段光増幅器１５にはλ１〜λ８８の８８波が入力される。中継局３へのＷＤＭ信号の入力（λ１〜λ２１）が遮断されると、後段光増幅器１５にはλ２２〜λ８８の６７波が入力される。後段光増幅器１５への入力が８８波から６７波に減ることによる後段光増幅器１５の入力パワーの変動は１．２ｄＢである。それに対して、λ２３〜λ８８の６６波のダミー光を挿入しない場合には、中継局３へのＷＤＭ信号の入力（λ１〜λ２１）の遮断によって、後段光増幅器１５への入力はλ１〜λ２２の２２波からλ２２の１波に減る。それによる後段光増幅器１５の入力パワーの変動は１３．４ｄＢである。つまり、ダミー光を挿入することによって、中継局３へのＷＤＭ信号の入力が遮断されたときに、後段光増幅器１５の入力パワーの変動を抑えることができるので、中継局３の光出力の変動を抑えることができる。
【００２５】
（実施例３）
図７は、実施例３にかかる光伝送装置を示すブロック図である。図７に示すように、実施例３は、実施例２において、第１のダミー光を分波器１２と波長選択スイッチ１４との間に挿入するようにしたものである。実施例３にかかる中継局３は、第１の合波部としてカプラ２２及び波長選択スイッチ１４を備えており、第１のダミー光源として広帯域光源１６及び一つの入力ポートと一つの出力ポートとを有する１×１の波長選択スイッチ（１×１  ＷＳＳ）２１を備えている。
【００２６】
１×１の波長選択スイッチ２１は、例えば波長選択スイッチ１４よりも小型であってもよい。小型の波長選択スイッチを実現する技術として、例えばＤＬＰ（Ｄｉｇｉｔａｌ  Ｌｉｇｈｔ  Ｐｒｏｃｅｓｓｉｎｇ、ディエルピー、登録商標）テクノロジー（インターネット、２０１０年１０月１日検索、ＵＲＬ＜http://www.dlp.com/dlp/regional/jp/technology/what.aspx＞）や、ＬＣＯＳ（Ｌｉｑｕｉｄ  Ｃｒｙｓｔａｌ  Ｏｎ  Ｓｉｌｉｃｏｎ、エルコス、登録商標）（インターネット、２０１０年１０月１日検索、ＵＲＬ＜http://www.finisar.com/download_yVzRcEWSS%20ROADM%20Product%20guide_FINALDec08.pdf＞）がある。
【００２７】
１×１の波長選択スイッチ２１は、広帯域光源１６から出力された第１のダミー光のうちの信号が割り当てられていない波長（空いている波長）を選択し、選択した波長の光をカプラ２２へ出力する。カプラ２２は分波器１２と波長選択スイッチ１４との間に挿入されている。カプラ２２は、分波器１２から出力されたＷＤＭ信号と１×１の波長選択スイッチ２１から出力されたダミー光とを合波し、その合波されたＷＤＭ信号を波長選択スイッチ１４へ出力する。その他の構成は実施例２と同様である。実施例３によれば実施例２と同様の効果が得られる。
【００２８】
（実施例４）
図８は、実施例４にかかる光伝送装置を示すブロック図である。図８に示すように、実施例４は、実施例３において、第１のダミー光を前段光増幅器１１の手前に挿入するようにしたものである。実施例４にかかる中継局３では、カプラ２２が前段光増幅器１１の前に挿入されている。カプラ２２は、中継局３に入力されたＷＤＭ信号と１×１の波長選択スイッチ２１から出力されたダミー光とを合波し、その合波されたＷＤＭ信号を前段光増幅器１１へ出力する。その他の構成は実施例３と同様である。実施例４によれば実施例２と同様の効果が得られる。
【００２９】
（実施例５）
図９は、実施例５にかかる光伝送装置を示すブロック図である。図９に示すように、実施例５は、実施例３において、第１のダミー光及び送信機１７から出力された光信号を波長選択スイッチ１４と後段光増幅器１５との間に挿入するようにしたものである。実施例５にかかる中継局３は、第１の合波部としてカプラ２２，２３及び波長選択スイッチ１４を備えている。カプラ２３は波長選択スイッチ１４と後段光増幅器１５との間に挿入されている。カプラ２３は、波長選択スイッチ１４から出力されたＷＤＭ信号と、送信機１７から出力され、合波器１８から出力された光信号とを合波し、その合波されたＷＤＭ信号を後段光増幅器１５側へ出力する。
【００３０】
カプラ２２は、カプラ２３と後段光増幅器１５との間に挿入されている。カプラ２２は、カプラ２３から出力されたＷＤＭ信号と１×１の波長選択スイッチ２１から出力されたダミー光とを合波し、その合波されたＷＤＭ信号を後段光増幅器１５へ出力する。波長選択スイッチ１４は、前段光増幅器１１から出力されたＷＤＭ信号を分岐させてカプラ２３と分波器１３とに入力する。従って、実施例５では、図７に示す実施例３において前段光増幅器１１の出力端子に接続された分波器１２はなくてもよい。その他の構成は実施例３と同様である。実施例５によれば実施例２と同様の効果が得られる。なお、ダミー光を前段光増幅器１１と波長選択スイッチ１４との間に挿入してもよい。
【００３１】
（実施例６）
図１０は、実施例６にかかる光伝送装置を示すブロック図である。図１０に示すように、実施例６は、実施例５において、第１のダミー光を前段光増幅器１１の手前に挿入するようにしたものである。実施例６にかかる中継局３では、カプラ２２が前段光増幅器１１の前に挿入されている。カプラ２２は、中継局３に入力されたＷＤＭ信号と１×１の波長選択スイッチ２１から出力されたダミー光とを合波し、その合波されたＷＤＭ信号を前段光増幅器１１へ出力する。その他の構成は実施例５と同様である。実施例６によれば実施例２と同様の効果が得られる。
【００３２】
（実施例７）
・光伝送装置（中継局）の説明
図１１は、実施例７にかかる光伝送装置を示すブロック図である。図１１に示すように、実施例７は、実施例２において、中継局３へのＷＤＭ信号の入力が遮断されたときに、その遮断されたＷＤＭ信号をダミー光によって補うようにしたものである。実施例７にかかる中継局３は、検出部としてフォトダイオード（ＰＤ：Ｐｈｏｔｏｄｉｏｄｅ）３１などの光検出器、第２のダミー光源として広帯域光源Ｂ３３、光シャッター部として光シャッター３４及び第２の合波部としてカプラ３５を備えている。
【００３３】
広帯域光源Ｂ３３は、本光伝送システムにおいて多重され得る全ての波長の帯域を含む第２のダミー光を出力する。広帯域光源Ｂ３３の一例として、例えば上述した自然放出光光源や発光ダイオード光源などが挙げられる。実施例２〜６における広帯域光源１６を広帯域光源Ａ１６とし、広帯域光源Ｂ３３と区別する。
【００３４】
中継局３に入力されたＷＤＭ信号は、分波器（ＢＳ）３２によって分岐され、フォトダイオード３１とカプラ３５とに入力される。フォトダイオード３１は、分波器３２から入力される光信号のパワーに応じた電流を流す。従って、フォトダイオード３１に流れる電流の大きさを監視することによって、中継局３にＷＤＭ信号が入力されているか否か、すなわちＷＤＭ信号の入力断を検出することができる。
【００３５】
フォトダイオード３１に流れる電流の大きさが閾値以上である場合、すなわち中継局３にＷＤＭ信号が入力されている場合、光シャッター３４は閉じている。光シャッター３４が閉じているときには、光シャッター３４は、広帯域光源Ｂ３３から出力された第２のダミー光を出力しない。フォトダイオード３１に流れる電流の大きさが閾値よりも小さい場合、すなわち中継局３へのＷＤＭ信号の入力が遮断されている場合、光シャッター３４が開く。光シャッター３４が開いているときには、光シャッター３４は、広帯域光源Ｂ３３から出力された第２のダミー光を出力する。光シャッター３４から出力された第２のダミー光はカプラ３５に入力される。カプラ３５は、分波器３２から出力されたＷＤＭ信号または第２のダミー光を前段光増幅器１１へ出力する。
【００３６】
中継局３へＷＤＭ信号が入力されている場合、波長選択スイッチ１４は、前段光増幅器１１から出力されて波長選択スイッチ１４に入力されるＷＤＭ信号に多重されている波長、送信機１７から出力されて合波された光信号の波長、及び広帯域光源Ａ１６から出力された第１のダミー光のうちの信号が割り当てられていない波長（空いている波長）を選択する。中継局３へのＷＤＭ信号の入力が遮断されている場合、波長選択スイッチ１４は、広帯域光源Ｂ３３から出力された第２のダミー光のうち、中継局３への入力が遮断されたＷＤＭ信号に多重されていた波長、送信機１７から出力されて合波された光信号の波長、広帯域光源Ａ１６から出力された第１のダミー光のうちの信号が割り当てられていない波長（空いている波長）を選択する。その他の構成は実施例２と同様である。
【００３７】
図１２は、実施例７にかかる光伝送装置の前段光増幅器に入力される光の波長の一例を示す波形図であり、光伝送装置へのＷＤＭ信号の入力が遮断された場合の波形図である。図１３は、実施例７にかかる光伝送装置の後段光増幅器に入力される光の波長の一例を示す波形図であり、光伝送装置へのＷＤＭ信号の入力が遮断された場合の波形図である。ここでは、一例として、光伝送システムにおいて多重可能な波長をλ１〜λ８８の８８波とし、中継局３に入力されるＷＤＭ信号の波長をλ１〜λ２１の２１波とし、送信機１７から出力される光の波長をλ２２として説明する。
【００３８】
中継局３へのＷＤＭ信号の入力が正常である場合、図４に示す波形と同様に、前段光増幅器１１にはλ１〜λ２１の２１波を多重した光信号が入力され、図５に示す波形と同様に、後段光増幅器１５にはλ１〜λ２１の２１波と、λ２２と、第１のダミー光の波長としてλ２３〜λ８８の一部または全部が入力される。図１２に示すように、中継局３の手前での光ファイバの断線などの原因で、中継局３へのＷＤＭ信号の入力が遮断された場合、前段光増幅器１１にはλ１〜λ８８の波長を含む第２のダミー光（自然放出光）が入力され、図１３に示すように、前段光増幅器１１の手前での光ファイバの断線などの原因で、中継局３へのＷＤＭ信号の入力が遮断された場合、後段光増幅器１５には第２のダミー光の波長としてλ１〜λ２１と、λ２２と、第１のダミー光の波長としてλ２３〜λ８８の一部または全部が入力される。
【００３９】
・光シャッターの制御の説明
図１４及び図１５は、実施例７にかかる光伝送装置における光シャッターの制御を示すフローチャートである。図１４に示すように、光伝送システムの運用開始前においては、まず、光シャッター３４が閉じられる（ステップＳ１）。次いで、広帯域光源Ｂ３３が発光させられる（ステップＳ２）。そして、光伝送システムの運用が開始される。
【００４０】
図１５に示すように、光伝送システムの運用開始後においては、常時、フォトダイオード３１を流れる電流が監視される（ステップＳ１１）。そして、フォトダイオード３１の電流が閾値以上であるか否かが判断される（ステップＳ１２）。フォトダイオード３１の電流が閾値以上である場合（ステップＳ１２：Ｙｅｓ）、フォトダイオード３１の電流の監視が続けられ、光伝送システムの運用が終了となる。フォトダイオード３１の電流が閾値以上でない場合（ステップＳ１２：Ｎｏ）、光シャッター３４が開けられる（ステップＳ１３）。そして、光伝送システムの運用が終了となる。
【００４１】
実施例７によれば、実施例１と同様の効果が得られる。例えば、図４、図５、図１２及び図１３に示す例において第１のダミー光の波長としてλ２３〜λ８８の６６波が後段光増幅器１５に入力されるとする。中継局３へのＷＤＭ信号（λ１〜λ２１）の入力が正常であると、後段光増幅器１５にはλ１〜λ８８の８８波が入力される。中継局３へのＷＤＭ信号の入力（λ１〜λ２１）が遮断されると、第２のダミー光の挿入によって後段光増幅器１５にはλ１〜λ８８の８８波が入力される。従って、中継局３へのＷＤＭ信号の入力が遮断されたときに、後段光増幅器１５の入力パワーの変動を抑えることができるので、中継局３の光出力の変動を抑えることができる。
【００４２】
なお、光検出器はフォトダイオード３１に限らない。光シャッター部は、光シャッター３４に限らず、光スイッチや光アッテネータなど、光の出力のオン及びオフ、または実質的にオン及びオフを行うことができるものであればよい。
【００４３】
（実施例８）
図１６は、実施例８にかかる光伝送装置を示すブロック図である。図１６に示すように、実施例８は、実施例７において、実施例３と同様にして１×１の波長選択スイッチ２１及びカプラ２２を用いて、第１のダミー光を波長選択スイッチ１４と後段光増幅器１５との間に挿入するようにしたものである。その他の構成は実施例７と同様である。実施例８によれば実施例７と同様の効果が得られる。
【００４４】
（実施例９）
図１７は、実施例９にかかる光伝送装置を示すブロック図である。図１７に示すように、実施例９は、実施例７において、実施例５と同様にして１×１の波長選択スイッチ２１及びカプラ２２，２３を用いて、第１のダミー光及び送信機１７から出力された光信号を波長選択スイッチ１４と後段光増幅器１５との間に挿入するようにしたものである。その他の構成は実施例７と同様である。実施例９によれば実施例７と同様の効果が得られる。なお、第１のダミー光を前段光増幅器１１の前、前段光増幅器１１と波長選択スイッチ１４との間、または波長選択スイッチ１４とカプラ２３との間に挿入してもよい。
【００４５】
（実施例１０）
図１８は、実施例１０にかかる光伝送装置を示すブロック図である。図１８に示すように、実施例１０は、実施例７において、第１のダミー光と第２のダミー光とを広帯域光源１６から出力するようにしたものである。実施例１０にかかる中継局３では、広帯域光源１６から出力された光は、例えば広帯域光源１６と波長選択スイッチ１４との間に挿入された分波器（ＢＳ）３６によって分岐される。分波器３６で分岐された一方の光は、第１のダミー光として波長選択スイッチ１４に入力される。分波器３６で分岐されたもう一方の光は、第２のダミー光として光シャッター３４に入力される。その他の構成は実施例７と同様である。実施例１０によれば実施例７と同様の効果が得られる。
【００４６】
（実施例１１）
図１９は、実施例１１にかかる光伝送装置を示すブロック図である。図１９に示すように、実施例１１は、実施例８において、実施例１０と同様にして分波器（ＢＳ）３６を用いて、第１のダミー光と第２のダミー光とを広帯域光源１６から出力するようにしたものである。分波器３６は、広帯域光源１６と１×１の波長選択スイッチ２１との間に挿入されている。その他の構成は実施例８と同様である。実施例１１によれば実施例７と同様の効果が得られる。
【００４７】
（実施例１２）
図２０は、実施例１２にかかる光伝送装置を示すブロック図である。図２０に示すように、実施例１２は、実施例９において、実施例１１と同様にして分波器（ＢＳ）３６を用いて、第１のダミー光と第２のダミー光とを広帯域光源１６から出力するようにしたものである。その他の構成は実施例９と同様である。実施例１２によれば実施例７と同様の効果が得られる。
【００４８】
（実施例１３）
図２１は、実施例１３にかかる光伝送装置を示すブロック図である。図２１に示すように、実施例１３は、実施例７において、光シャッター３４及びカプラ３５を介して第２のダミー光を前段光増幅器１１と分波器１２との間に挿入するようにしたものである。その他の構成は実施例７と同様である。実施例１３によれば実施例７と同様の効果が得られる。
【００４９】
（実施例１４）
図２２は、実施例１４にかかる光伝送装置を示すブロック図である。図２２に示すように、実施例１４は、実施例１０において、光シャッター３４及びカプラ３５を介して第２のダミー光を前段光増幅器１１と分波器１２との間に挿入するようにしたものである。その他の構成は実施例１０と同様である。実施例１４によれば実施例７と同様の効果が得られる。
【００５０】
上述した実施例１〜１４に関し、さらに以下の付記を開示する。
【００５１】
（付記１）複数の異なる波長の光信号を多重して送信する送信局と、複数の異なる波長の光信号が多重された光信号を各波長の光信号に分波して波長ごとに受信する受信局と、前記送信局と前記受信局との間の光伝送路に挿入され、入力された光信号を増幅して前記受信局側へ送信する中継局と、を備え、前記中継局は、前記中継局にて挿入される波長の光信号を出力する送信部と、前記光伝送路から入力される光信号に対して空いている波長を含む第１のダミー光を出力する第１のダミー光源と、前記第１のダミー光、前記光伝送路から入力された光信号、及び前記送信部から出力された光信号を合波する第１の合波部と、前記第１の合波部から出力された光信号を増幅する光増幅部と、を備えることを特徴とする光伝送システム。
【００５２】
（付記２）前記中継局は、前記光伝送路から入力される光信号と同じ波長を含む第２のダミー光を出力する第２のダミー光源と、前記光伝送路から入力される光信号の入力断を検出する検出部と、前記光伝送路から入力された光信号及び前記第２のダミー光を合波して前記第１の合波部側へ出力する第２の合波部と、前記検出部で前記光信号の入力断を検出した場合に、前記第２のダミー光を前記第２の合波部側へ出力する光シャッター部と、を備えることを特徴とする付記１に記載の光伝送システム。
【００５３】
（付記３）前記第１のダミー光源は、前記光伝送路から入力される光信号と同じ波長を含む第２のダミー光を出力し、前記中継局は、前記光伝送路から入力される光信号の入力断を検出する検出部と、前記光伝送路から入力された光信号及び前記第２のダミー光を合波して前記第１の合波部側へ出力する第２の合波部と、前記検出部で前記光信号の入力断を検出した場合に、前記第２のダミー光を前記第２の合波部側へ出力する光シャッター部と、を備えることを特徴とする付記１に記載の光伝送システム。
【００５４】
（付記４）前記光伝送路から入力される光信号と同じ波長と、前記送信部から出力される光信号と同じ波長と、前記光伝送路から入力される光信号及び前記送信部から出力される光信号に対して空いている波長と、を選択して前記光増幅部側へ出力する波長選択スイッチ部、を備えることを特徴とする付記２または３に記載の光伝送システム。
【００５５】
（付記５）中継局へ合波する波長の光信号を出力する送信部と、光伝送路から入力される光信号に対して空いている波長を含む第１のダミー光を出力する第１のダミー光源と、前記第１のダミー光、前記光伝送路から入力された光信号、及び前記送信部から出力された光信号を合波する第１の合波部と、前記第１の合波部から出力された光信号を増幅して受信局側へ出力する光増幅部と、を備えることを特徴とする光伝送装置。
【００５６】
（付記６）前記光伝送路から入力される光信号と同じ波長を含む第２のダミー光を出力する第２のダミー光源と、前記光伝送路から入力される光信号の入力断を検出する検出部と、前記光伝送路から入力された光信号及び前記第２のダミー光を合波して前記第１の合波部側へ出力する第２の合波部と、前記検出部で前記光信号の入力断を検出した場合に、前記第２のダミー光を前記第２の合波部側へ出力する光シャッター部と、を備えることを特徴とする付記５に記載の光伝送装置。
【００５７】
（付記７）前記第１のダミー光源は、前記光伝送路から入力される光信号と同じ波長を含む第２のダミー光を出力し、前記光伝送路から入力される光信号の入力断を検出する検出部と、前記光伝送路から入力された光信号及び前記第２のダミー光を合波して前記第１の合波部側へ出力する第２の合波部と、前記検出部で前記光信号の入力断を検出した場合に、前記第２のダミー光を前記第２の合波部側へ出力する光シャッター部と、を備えることを特徴とする付記５に記載の光伝送装置。
【００５８】
（付記８）前記光伝送路から入力される光信号と同じ波長と、前記送信部から出力される光信号と同じ波長と、前記光伝送路から入力される光信号及び前記送信部から出力される光信号に対して空いている波長と、を選択して前記光増幅部側へ出力する波長選択スイッチ部、を備えることを特徴とする付記６または７に記載の光伝送装置。
【符号の説明】
【００５９】
１  送信局
２  受信局
３  中継局
４  光伝送路
５  送信部
６  第１のダミー光源
７  第１の合波部
８  光増幅部
１４  波長選択スイッチ部
３１  検出部
３３  第２のダミー光源
３４  光シャッター部
３５  第２の合波部
【図１】
0005648429.tif 000002
【図２】
0005648429.tif 000003
【図３】
0005648429.tif 000004
【図４】
0005648429.tif 000005
【図５】
0005648429.tif 000006
【図６】
0005648429.tif 000007
【図７】
0005648429.tif 000008
【図８】
0005648429.tif 000009
【図９】
0005648429.tif 000010
【図１０】
0005648429.tif 000011
【図１１】
0005648429.tif 000012
【図１２】
0005648429.tif 000013
【図１３】
0005648429.tif 000014
【図１４】
0005648429.tif 000015
【図１５】
0005648429.tif 000016
【図１６】
0005648429.tif 000017
【図１７】
0005648429.tif 000018
【図１８】
0005648429.tif 000019
【図１９】
0005648429.tif 000020
【図２０】
0005648429.tif 000021
【図２１】
0005648429.tif 000022
【図２２】
0005648429.tif 000023